(57)【要約】【課題】実際の情報アーキテクチャに対する作業を通じての学習を可能とする。【解決手段】演習者端末より演習者の認証用情報を受付けるステップと、認証用情報を演習者認証データベースにて照合し認証処理を行うステップと、演習者の属性情報を演習者認証データベースより抽出しプログラムデータベースに照合するステップと、演習者の属性情報に対応する演習内容に応じた設定用プログラムを認識するステップと、設定用プログラムをプログラムデータベースより読み出して演習者端末に出力するステップと、設定用プログラムを通じて演習者端末より実行された情報アーキテクチャへの設定処理を受け付けて当該情報アーキテクチャにおける該当装置に対する設定を実行するステップと、設定が実行された情報アーキテクチャにおける稼動状況を認識し演習者端末に通知するステップとを実行する。【選択図】      図１０
2005010522.tif 000002
【特許請求の範囲】
【請求項１】
情報処理装置を用いた教育方法であって、前記情報処理装置は、コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能であり、
演習者端末より演習者の認証用情報を受付けるステップと、
前記受け付けた認証用情報を前記演習者認証データベースにて照合し、演習者の認証処理を行うステップと、
前記認証処理により特定された演習者の属性情報を前記演習者認証データベースより抽出し、当該属性情報を前記プログラムデータベースに照合するステップと、
前記照合により、前記演習者の属性情報に対応する演習内容に応じた設定用プログラムを認識するステップと、
前記設定用プログラムをプログラムデータベースより読み出して、前記演習者端末に出力するステップと、
前記設定用プログラムを通じて演習者端末より実行された情報アーキテクチャへの設定処理を受け付けて、当該情報アーキテクチャにおける該当装置に対する設定を実行するステップと、
前記設定が実行された情報アーキテクチャにおける稼動状況を認識し、当該稼動状況を前記演習者端末に通知するステップと、
を含むことを特徴とする情報アーキテクチャ教育方法。
【請求項２】
前記設定用プログラムが、情報アーキテクチャの設定を演習者に問う演習問題のデータを含むものとし、前記演習者端末に対して前記演習問題を出力するステップを含むことを特徴とする請求項１に記載の情報アーキテクチャ教育方法。
【請求項３】
前記演習者端末からの設定処理を、演習者毎の回答データとして回答データベースに格納するステップと、
前記回答データたる設定処理の正解率を算定し、その算定結果を出力インターフェイスに出力するステップと、
を含むことを特徴とする請求項１に記載の情報アーキテクチャ教育方法。
【請求項４】
前記正解率の算定結果を、正解率と演習内容の進退との関係を定めた調整テーブルに照合し、演習者と演習内容との適性度を判定するステップと、
前記判定に応じて、前記演習者に対する設定用プログラムを再設定するステップとを含むことを特徴とする請求項３に記載の情報アーキテクチャ教育方法。
【請求項５】
前記設定が実行された情報アーキテクチャに対し、その設定処理の内容を所定の初期状態にリセットするステップを含むことを特徴とする請求項１〜４のいずれかに記載の情報アーキテクチャ教育方法。
【請求項６】
コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能であり、教育方法を実行する情報処理装置であって、
演習者端末より演習者の認証用情報を受付ける手段と、
前記受け付けた認証用情報を前記演習者認証データベースにて照合し、演習者の認証処理を行う手段と、
前記認証処理により特定された演習者の属性情報を前記演習者認証データベースより抽出し、当該属性情報を前記プログラムデータベースに照合する手段と、
前記照合により、前記演習者の属性情報に対応する演習内容に応じた設定用プログラムを認識する手段と、
前記設定用プログラムをプログラムデータベースより読み出して、前記演習者端末に出力する手段と、
前記設定用プログラムを通じて演習者端末より実行された情報アーキテクチャへの設定処理を受け付けて、当該情報アーキテクチャにおける該当装置に対する設定を実行する手段と、
前記設定が実行された情報アーキテクチャにおける稼動状況を認識し、当該稼動状況を前記演習者端末に通知する手段と、
を備えることを特徴とする情報処理装置。
【請求項７】
コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能である情報処理装置に教育方法を実行させるためのプログラムであって、
演習者端末より演習者の認証用情報を受付けるステップと、
前記受け付けた認証用情報を前記演習者認証データベースにて照合し、演習者の認証処理を行うステップと、
前記認証処理により特定された演習者の属性情報を前記演習者認証データベースより抽出し、当該属性情報を前記プログラムデータベースに照合するステップと、
前記照合により、前記演習者の属性情報に対応する演習内容に応じた設定用プログラムを認識するステップと、
前記設定用プログラムをプログラムデータベースより読み出して、前記演習者端末に出力するステップと、
前記設定用プログラムを通じて演習者端末より実行された情報アーキテクチャへの設定処理を受け付けて、当該情報アーキテクチャにおける該当装置に対する設定を実行するステップと、
前記設定が実行された情報アーキテクチャにおける稼動状況を認識し、当該稼動状況を前記演習者端末に通知するステップと、
を含むことを特徴とする情報アーキテクチャ教育プログラム。
【請求項８】
請求項７に記載の情報アーキテクチャ教育プログラムを記録したコンピュータ読み取り可能な記録媒体。
【発明の詳細な説明】
【０００１】
【発明の属する技術分野】
本発明は、情報アーキテクチャ教育方法、情報処理装置、プログラム、および記録媒体に関する。
【０００２】
【従来の技術】
各種学校など教育機関におけるコンピュータ教育は、コンピュータ自体の操作やプログラミングを習得させる為の内容となっている。或いは授業前に生徒側に配布しておく事前資料を、コンピュータを通じて配信するといった程度の利用に留まっている。
【０００３】
例えば、利用者に教科書の単元を提示し、該利用者が選択した単元に応じて該単元と関連付けた教材情報を提供することにより、教材の作成作業の軽減を可能とする教材情報提供システム及び教材情報提供プログラムを提供するといった課題の下、ネットワークを介して教材情報を提供する教材情報提供システムにおいて、教材情報を教科書の単元と関連付けて記憶する教材情報記憶手段と、ネットワークを介した利用者端末に教科書の単元に沿った選択メニューを提示する単元提示手段と、前記選択メニューから選択された単元に基づく情報を前記利用者端末から受信する単元受信手段と、前記単元受信手段で受信した情報に基づいて前記選択された単元と関連する教材情報を前記利用者端末に提供する提供手段と、を備えた教材情報提供システム、などが提案されている（特許文献１参照）。
【０００４】
【特許文献１】
特開２００２−２７８４３８
【０００５】
【発明が解決しようとする課題】
しかしながら、実際に世の中で運用されている情報アーキテクチャについて、そのシステム全体を把握させ、或いはその構築作業を学習するための教育環境が提案されることは無かった。
そこで本発明はこのような経緯に基づいてなされたもので、実際の情報アーキテクチャに対する作業を通じての学習を可能とする情報アーキテクチャ教育方法、情報処理装置、プログラム、および記録媒体を提供することを目的とする。
【０００６】
【課題を解決するための手段】
上記目的を達成する本発明の情報アーキテクチャ教育方法は、情報処理装置を用いた教育方法であって、前記情報処理装置は、コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能であり、演習者端末より演習者の認証用情報を受付けるステップと、前記受け付けた認証用情報を前記演習者認証データベースにて照合し、演習者の認証処理を行うステップと、前記認証処理により特定された演習者の属性情報を前記演習者認証データベースより抽出し、当該属性情報を前記プログラムデータベースに照合するステップと、前記照合により、前記演習者の属性情報に対応する演習内容に応じた設定用プログラムを認識するステップと、前記設定用プログラムをプログラムデータベースより読み出して、前記演習者端末に出力するステップと、前記設定用プログラムを通じて演習者端末より実行された情報アーキテクチャへの設定処理を受け付けて、当該情報アーキテクチャにおける該当装置に対する設定を実行するステップと、前記設定が実行された情報アーキテクチャにおける稼動状況を認識し、当該稼動状況を前記演習者端末に通知するステップと、を含むことを特徴とする。
【０００７】
また、コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能であり、教育方法を実行する情報処理装置であって、演習者端末より演習者の認証用情報を受付ける手段と、前記受け付けた認証用情報を前記演習者認証データベースにて照合し、演習者の認証処理を行う手段と、前記認証処理により特定された演習者の属性情報を前記演習者認証データベースより抽出し、当該属性情報を前記プログラムデータベースに照合する手段と、前記照合により、前記演習者の属性情報に対応する演習内容に応じた設定用プログラムを認識する手段と、前記設定用プログラムをプログラムデータベースより読み出して、前記演習者端末に出力する手段と、前記設定用プログラムを通じて演習者端末より実行された情報アーキテクチャへの設定処理を受け付けて、当該情報アーキテクチャにおける該当装置に対する設定を実行する手段と、前記設定が実行された情報アーキテクチャにおける稼動状況を認識し、当該稼動状況を前記演習者端末に通知する手段と、を備えることを特徴とする情報処理装置にかかる。
【０００８】
更に、コンピュータシステムおよびネットワークを含む情報アーキテクチャと、認証用情報を含む演習者毎の属性情報を格納した演習者認証データベースと、演習者の属性情報と対応する演習内容に応じて関連付けされた情報アーキテクチャの設定用プログラムを格納したプログラムデータベースとにアクセス可能である情報処理装置に教育方法を実行させるためのプログラムであって、演習者端末より演習者の認証用情報を受付けるステップと、前記受け付けた認証用情報を前記演習者認証データベースにて照合し、演習者の認証処理を行うステップと、前記認証処理により特定された演習者の属性情報を前記演習者認証データベースより抽出し、当該属性情報を前記プログラムデータベースに照合するステップと、前記照合により、前記演習者の属性情報に対応する演習内容に応じた設定用プログラムを認識するステップと、前記設定用プログラムをプログラムデータベースより読み出して、前記演習者端末に出力するステップと、前記設定用プログラムを通じて演習者端末より実行された情報アーキテクチャへの設定処理を受け付けて、当該情報アーキテクチャにおける該当装置に対する設定を実行するステップと、前記設定が実行された情報アーキテクチャにおける稼動状況を認識し、当該稼動状況を前記演習者端末に通知するステップと、を含むことを特徴とする情報アーキテクチャ教育プログラムにかかる。このプログラムは、前記各ステップの動作を行うためのコードから構成されている。
【０００９】
また、前記情報アーキテクチャ教育プログラムを記録したコンピュータ読み取り可能な記録媒体にかかる。
【００１０】
その他、本願が開示する課題、及びその解決方法は、発明の実施の形態の欄及び図面により明らかにされる。
【００１１】
【発明の実施の形態】
以下に本発明の実施形態について図面を用いて詳細に説明する。図１は本実施形態における情報処理装置を含むネットワーク構成図である。本発明における情報処理装置としてのサーバシステム１００（以下、システム）は、一例として例えばＬＡＮなどのネットワーク１２５を介して情報アーキテクチャ１５０や演習者用端末１３０らとデータ通信可能に結ばれたものを想定する。そして、本発明の情報アーキテクチャ教育方法を実現するプログラムを適宜な記憶装置に保有し、これを演算装置らがＯＳ（Ｏｐｅｒａｔｉｎｇ  Ｓｙｓｔｅｍｓ）に基づき読み出すなどして情報アーキテクチャ教育方法を実行する。
【００１２】
他に、システム１００がネットワーク１２５を介して情報アーキテクチャ１５０や演習者用端末１３０と接続してデータ通信を実行するネットワークアダプタ、各種データの出力を実行する出力インターフェイス、操作者からの選択や指示を受け付ける入力インターフェイスを、情報処理装置として当然に備えている。
【００１３】
また、前記システム１００は、複数のサーバから構成されている。１つは、ＤＮＳサーバ１０５（図中：ＤＮＳ＆ファイルサーバ、プリンタサーバ）である、このＤＮＳサーバ１０５は、ＤＮＳサーバ機能と、ネットワークに散在する資源（ユーザー名、サーバ名、クループ名、プリンタ名、メール・アドレスなど）を一元管理するディレクトリ・サービス機能、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能、プリンタサーバ機能、ファイルサーバ機能を提供可能なサーバ装置である。当該ＤＮＳサーバ１０５の記憶装置には、本発明の情報アーキテクチャ教育方法の利用者たる演習者毎に適宜な記憶領域が確保される。この記憶領域には教材や各演習者が処理した回答やレポート等の提出データが保存される。
【００１４】
また他のサーバとしては、アプリケーションサーバ１１０（図中：アプリケーションサーバ＆ＤＢサーバ）が配置される。このアプリケーションサーバ１１０は、本発明の情報アーキテクチャ教育方法を実現するアプリケーションプログラムがインストールされている。また、ＤＢサーバ機能を備えており、演習に使用するデータベース関係のアプリケーションがインストールされる。このアプリケーションには、演習者毎に使用する演習用のデータベースの他、例えば情報処理装置１００自体の稼動管理データベースが含まれる。
【００１５】
ここで、上記システム１００においてユーザ管理やシステム管理を担うサブシステムについて説明しておく。図２は本実施形態におけるサブシステムのネットワーク構成を示す図である。ユーザ管理を行うユーザ管理サブシステム１１５は、前記システム１００の管理ＰＣ１１８にて受け付けたユーザ情報（演習者たる受講生の氏名や所属情報など）を例えばＣＳＶ形式などでユーザデータベース１２０に格納する一方で、前記ディレクトリ・サービス機能を利用して当該演習者用のＩＤ・パスワード、およびディレクトリを生成する。このディレクトリはディレクトリデータベース１１９において記述・格納される。また、演習者端末１３０を介したログイン要求に際して前記ＩＤ、パスワードに基づく認証処理を実行できる。このようなユーザ情報に基づく登録処理等は、図３および図６に示すとおり、演習者を一括して処理するとしてもよいし、図４および図７に示すように演習者毎に個別処理するとしてもよい。
【００１６】
図５は稼動管理および統計管理の処理概要を示す図である。また、図８は稼動管理（ＰＣ起動時）の処理流れを示す図であり、図９は稼動管理および統計管理の処理流れを示す図である。前記したユーザ管理の情報は、統計管理サブシステム１１６および稼動管理サブシステム１１７でも利用される。統計管理サブシステム１１６は、稼動管理サブシステム１１７が収集した、演習者用端末１３０および当該端末１３０を介したシステム１００の稼動情報（例：演習者のログオン・ログオフ情報、情報アーキテクチャ教育方法の実行状況など）を稼動履歴データベース１２１に蓄積する。この稼動情報は、例えば演習に対する正答率などとして演習者毎に抽出して、帳票などに印刷出力することもできる。
【００１７】
なお、前記ディレクトリデータベース１１９、ユーザデータベース１２０、稼動履歴データベース１２１における各演習者のデータは、上述した通りに登録や生成が可能な一方、情報アーキテクチャ教育の演習が終了した演習者については削除することも勿論可能である。この場合、削除対象者のＩＤなどをキーとして該当データやディレクトリを検索し、削除処理を行うこととすればよい。
【００１８】
一方、システム１００とネットワーク１２５を通じて結ばれ、演習対象となるのが情報アーキテクチャ１５０である。この情報アーキテクチャ１５０は、例えばネットワーク１２５とファイヤウォール１５２を介して結ばれた、例えばＷｅｂサーバ１５１（図中：Ｗｅｂサーバ＆アプリケーションサーバ）から主に構成される。ここにおけるＷｅｂサーバ１５１は、情報アーキテクチャ１５０をＷｅｂサービスの提供システムとして想定し採用されたものであり、他の形態の情報アーキテクチャを採用するとすれば、他のサーバに置換されうる。また、このＷｅｂサーバ１５１は、ルータ１５３を介して外部のネットワーク１５４と接続可能である。このネットワーク１５４はルータ１５５を介してネットワーク実験用端末１５６と結ばれる。このネットワーク実験用端末１５６は、演習者が設定等を行ったＷｅｂサーバ１５１やルータ１５３、或いはファイヤウォール１５２がどのように稼動しているかを実際に確認するための端末となる。
【００１９】
なお、前記システム１００は、ファイヤウォールサーバとして外部からの不正進入を抑止したり、ＷＷＷサーバとして機能可能なものでもあるし、データ通信相手とのコミュニケーションを図るメールサーバーとしても機能可能なものとできる。
【００２０】
また、システム１００、演習者用端末１３０、プリンタ１３５、および情報アーキテクチャ１５０らをそれぞれつなぐネットワーク１２５に関しては、ＬＡＮやインターネットの他に、専用回線、ＷＡＮ（Ｗｉｄｅ  Ａｒｅａ  Ｎｅｔｗｏｒｋ）、電灯線ネットワーク、無線ネットワーク、公衆回線網、携帯電話網、ＥＤＩ専用回線など様々なネットワークを採用することも出来る。また、ＶＰＮなど仮想専用ネットワーク技術を用いれば、インターネットを採用した際にセキュリティ性を高めた通信が確立され好適である。
【００２１】
図１０は本実施形態の情報アーキテクチャ教育方法の実際手順を示すフロー図である。以下、本発明の情報アーキテクチャ教育方法の実際手順について、図１１から図１９の画面例１〜９を伴った説明を行う。なお、以下で説明する情報アーキテクチャ教育方法に対応する各種動作は、システム１００が備えるプログラムによって実現される。そして、これらのプログラムは、以下に説明される各種の動作を行うためのコードから構成されている。
【００２２】
本発明の情報処理装置としての前記システム１００は、演習者用端末１３０（演習者端末）より演習者のＩＤやパスワードといった認証用情報を受付けるものとする（ｓ１０００）。この時の受付画面例が図１１の画面１１００となる。システム１００は、この画面１１００にて受け付けた認証用情報をユーザデータベース１２０（演習者認証データベース）にて照合し、演習者の認証処理を行う（ｓ１００１、ｓ１００２）。
【００２３】
入力された前記ＩＤやパスワードが登録済みの適正なものであり、演習者の認証が正常になされた場合、特定された演習者の属性情報を前記ユーザデータベース１２０より抽出する（ｓ１００３）。演習者の認証から特定までのここまでの処理は主として前記ＤＮＳサーバ１０５が担うものとできる。前記抽出した属性情報は、アプリケーションサーバ１１０におけるＤＢサーバ機能（プログラムデータベース）に照合する（ｓ１００４）。
【００２４】
この照合処理により、前記演習者の属性情報に対応する演習内容に応じた設定用プログラムを認識することが出来る（ｓ１００５）。例えば演習者が学生で、その属性情報が所属学科と学年、参加講座名、学生ＩＤといった情報であった場合、このような所属に応じたカリキュラム内容が特定できる。このカリキュラム内容に応じて前記設定用プログラムは自ずと選定できる。図１１の例でいえば、「セキュアネットワークの構築」についての演習が設定用プログラムとして選定されている。つまり、前記情報アーキテクチャ１５０に対し、セキュアネットワークを構築するべく各種設定を行うためのプログラムが選定されたという訳である。
【００２５】
この設定用プログラムは、情報アーキテクチャ１５０の設定を演習者に問う演習問題のデータを含むものとし、設定用プログラムとともに前記演習者用端末１３０に出力する（ｓ１００６、ｓ１００７）。実際には演習者用端末１３０にこの設定用プログラムがインストールされるか、或いはアプリケーションサーバ１１０に用意された設定用プログラムを演習者用端末１３０が利用することとなる。
【００２６】
以下、設定用プログラムは、実験目的の提示画面１２００（図１２）、実験の概要提示画面１３００（図１３）、実験環境提示画面１４００、１５００（図１４、図１５）、ハードウェア構成提示画面１６００（図１６）を順次出力する。そして、演習問題画面１７００（図１７）を示して演習者に対する問いかけを行う。この時、補足情報提示画面１８００、１９００（図１８、図１９）を出力して演習者の理解を助けることも可能である。
【００２７】
システム１００は、前記設定用プログラムの演習問題画面１７００を通じて演習者用端末１３０より実行された情報アーキテクチャへ１５０の設定処理を受け付ける（ｓ１００８）。この設定処理は、演習問題が前記したように「セキュアネットワークの構築」というものであれば、前記ファイヤウォール１５２やルータ１５３に対する設定処理となる。前記演習者用端末１３０からの設定処理は、演習者毎の回答データとしてＤＮＳサーバ１０５の記憶装置（回答データベース）に格納する（ｓ１００９）。そして当該情報アーキテクチャ１５０における該当装置、つまりファイヤウォール１５２などに対する設定を実行する（ｓ１０１０）のである。或いは設定指示を前記Ｗｅｂサーバ１５１に通知するとしてもよい。
【００２８】
前記設定処理が実行された情報アーキテクチャ１５０では、それまでの稼動状態から変化した状態で稼動することとなる。つまり、前記演習者の回答に応じた設定で稼動しているのである。そこでシステム１００は、情報アーキテクチャ１５０における稼動状況を認識し、当該稼動状況を前記演習者用端末１３０に通知する（ｓ１０１１、ｓ１０１２）。前記設定処理が演習問題の題意に則した適正なものであれば、情報アーキテクチャ１５０の稼働状況は正常であろうし、他方、適正な設定処理でなければ稼動状況は不正常となりうる。つまり、これが前記演習問題に対する回答の正否解答となる。
【００２９】
一方、格納された前記回答データたる設定処理については、その正解率を算定することができる。また、その算定結果を演習者用端末１３０を含む出力インターフェイスに出力する（ｓ１０２０）。この正解率の算定結果は、正解率と演習内容の進退との関係を定めた調整テーブルに照合するとすれば（ｓ１０２１）、前記演習者と演習内容との適性度を判定することができる（ｓ１０２２）。これにより例えば、所定数以上の演習者について正解率が著しく低い演習問題が存在することが判明すれば、この演習問題のレベルが演習者の習熟レベル以上となっており、この演習問題に調整が必要なことが認識できる。
【００３０】
このように前記適性度に問題があれば（ｓ１０２３２：ＮＯ）、前記演習者に対する設定用プログラムをより簡易なものへと再設定する（ｓ１０２４）。この再設定後、再演習を開始するならば（ｓ１０２５：ＹＥＳ）、設定用プログラムの演習者用端末１３０への出力ステップ（ｓ１００６）に処理を戻す。他方、前記適性度に問題がない場合（ｓ１０２３：ＹＥＳ）および前記再演習の開始がない場合（ｓ１０２５：ＮＯ）、ステップ１０１３へと処理を進める。
【００３１】
演習者により設定処理がなされた情報アーキテクチャ１５０は、初期状態あるいは定常状態からは変化した設定状態となっている。そこで、前記設定処理の内容をリセットする時機（例：１日の演習終了時、学年終了時など）が到来したか、前記管理ＰＣ１１８などの入力インターフェイスよりリセット指示が入力された場合（ｓ１０１３：ＹＥＳ）、情報アーキテクチャ１５０に対し、その設定処理の内容を所定の初期状態にリセットする指示を行う（ｓ１０１４）。前記リセットの処理は、例えば、前記ＤＮＳサーバ１０５およびアプリケーションサーバ１１０における該当演習者の設定情報の削除、アプリケーションプログラムの再インストールなどの処理が含まれる。他方、リセット時機などがない場合（ｓ１０１３：ＮＯ）、処理は終了する。
【００３２】
本発明の情報アーキテクチャ教育方法等によれば、実際の情報アーキテクチャに対する作業を通じての学習を可能とする。
【００３３】
以上、本発明の実施の形態について、その実施の形態に基づき具体的に説明したが、これに限定されるものではなく、その要旨を逸脱しない範囲で種々変更可能である。
【００３４】
【発明の効果】
本発明によれば、実際の情報アーキテクチャに対する作業を通じての学習を可能とする。
【図面の簡単な説明】
【図１】本実施形態における情報処理装置を含むネットワーク構成図である。
【図２】本実施形態におけるサブシステムのネットワーク構成を示す図である。
【図３】ユーザ情報の一括登録の処理概要を示す図である。
【図４】ユーザ情報の個別登録及び更新・削除の処理概要を示す図である。
【図５】稼動管理および統計管理の処理概要を示す図である。
【図６】ユーザ情報の一括登録の処理流れを示す図である。
【図７】ユーザ情報の個別登録及び更新・削除の処理流れを示す図である。
【図８】稼動管理（ＰＣ起動時）の処理流れを示す図である。
【図９】稼動管理および統計管理の処理流れを示す図である。
【図１０】本実施形態における情報アーキテクチャ教育方法の実際手順を示すフロー図である。
【図１１】本実施形態における画面例１を示す図である。
【図１２】本実施形態における画面例２を示す図である。
【図１３】本実施形態における画面例３を示す図である。
【図１４】本実施形態における画面例４を示す図である。
【図１５】本実施形態における画面例５を示す図である。
【図１６】本実施形態における画面例６を示す図である。
【図１７】本実施形態における画面例７を示す図である。
【図１８】本実施形態における画面例８を示す図である。
【図１９】本実施形態における画面例９を示す図である。
【符号の説明】
１００  システム、情報処理装置、サーバシステム
１０５  ＤＮＳサーバ
１１０  アプリケーションサーバ
１１５  ユーザ管理サブシステム
１１６  統計管理サブシステム
１１７  稼動管理サブシステム
１１８  管理ＰＣ
１１９  ディレクトリデータベース
１２０  ユーザデータベース
１２１  稼動履歴データベース
１２５、１５４  ネットワーク
１３０  演習者用端末
１３５  プリンタ
１５０  情報アーキテクチャ
１５１  Ｗｅｂサーバ
１５２  ファイヤウォール
１５３、１５５  ルータ
１５６  ネットワーク実験用端末
【図１】
2005010522.tif 000003
【図２】
2005010522.tif 000004
【図３】
2005010522.tif 000005
【図４】
2005010522.tif 000006
【図５】
2005010522.tif 000007
【図６】
2005010522.tif 000008
【図７】
2005010522.tif 000009
【図８】
2005010522.tif 000010
【図９】
2005010522.tif 000011
【図１０】
2005010522.tif 000012
【図１１】
2005010522.tif 000013
【図１２】
2005010522.tif 000014
【図１３】
2005010522.tif 000015
【図１４】
2005010522.tif 000016
【図１５】
2005010522.tif 000017
【図１６】
2005010522.tif 000018
【図１７】
2005010522.tif 000019
【図１８】
2005010522.tif 000020
【図１９】
2005010522.tif 000021